(57)【要約】【課題】使用中に携帯電話に着信があった場合でも、映像表示装置の使用者に、その旨を知らせることができる映像表示装置を提供する。【解決手段】携帯電話に着信があると、携帯電話は、着信信号を発生する。この着信信号は、携帯通信部で検出され、着信画像・音声生成部と、画像音声切替・合成部に送られる。着信画像・音声生成部はこの信号を受けて、所定の着信画像及び音声を、画像音声切替・合成部に出力する。画像音声切替・合成部は、それまでの画像出力、音声出力を一端中断し、画像出力部、音声出力部に出力する画像信号、音声信号を、着信画像・音声生成部から出力されたものに切り替えるか、あるいは、着信画像・音声生成部から出力された信号を、それまでの画像出力、音声出力に重畳して出力する。これにより、映像表示装置を装着中の使用者が、携帯電話への着信を知ることができる。【選択図】  図１
2008129045.tif 000002
【特許請求の範囲】
【請求項１】
頭部に装着され、装着者の眼と耳に、それぞれ映像信号及び音声信号を出力する映像表示装置であって、携帯電話から発信される着信信号を検出する着信信号検出部を有し、前記着信信号検出部が前記着信信号を検出したとき、着信表示を映像信号として表示する機能を有することを特徴とする映像表示装置。
【請求項２】
頭部に装着され、装着者の眼と耳に、それぞれ映像信号及び音声信号を出力する映像表示装置であって、携帯電話に着信があったときに大きくなる携帯電話が発信する電波を検出する携帯電話電波検出部を有し、前記携帯電話電波検出部が、大きくなった前記携帯電話が発信する電波を検出したとき、着信表示を映像信号として表示する機能を有することを特徴とする映像表示装置。
【発明の詳細な説明】
【技術分野】
【０００１】
本発明は、映像表示装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。
【特許文献１】ＷＯ２００４／０６１５１９Ａ１公報
【発明の開示】
【発明が解決しようとする課題】
【０００３】
このような映像表示装置を頭部に装着している際には、両耳がヘッドホーンで覆われ、かつ、ヘッドホーンからは音声信号が出力されているので、携帯電話に着信があったときでも、その着信音声出力が耳に届かず、着信に気づかないという状態が発生する。
【０００４】
本発明はこのような事情に鑑みてなされたものであり、使用中に携帯電話に着信があった場合でも、映像表示装置の使用者に、その旨を知らせることができる映像表示装置を提供することを課題とする。
【課題を解決するための手段】
【０００５】
前記課題を解決するための第１の手段は、頭部に装着され、装着者の眼と耳に、それぞれ映像信号及び音声信号を出力する映像表示装置であって、携帯電話から発信される着信信号を検出する着信信号検出部を有し、前記着信信号検出部が前記着信信号を検出したとき、着信表示を映像信号として表示する機能を有することを特徴とする映像表示装置である。
【０００６】
前記課題を解決するための第２の手段は、頭部に装着され、装着者の眼と耳に、それぞれ映像信号及び音声信号を出力する映像表示装置であって、携帯電話に着信があったときに大きくなる携帯電話が発信する電波を検出する携帯電話電波検出部を有し、前記携帯電話電波検出部が、大きくなった前記携帯電話が発信する電波を検出したとき、着信表示を映像信号として表示する機能を有することを特徴とする映像表示装置である。
【発明の効果】
【０００７】
本発明によれば、映像表示装置の使用中に携帯電話に着信があった場合でも、映像表示装置の使用者に、その旨を知らせることができる映像表示装置を提供することができる。
【発明を実施するための最良の形態】
【０００８】
以下、本発明の実施の形態の例を、図を用いて説明する。映像表示装置の機械的な構成の例は、特許文献１等に掲載されており公知であるので、以下の説明においては、制御回路の概要とその作動について説明する。
【０００９】
図１は、本発明の実施の形態の１例である映像表示装置の構成の概要を示す図である。映像表示装置は、ＬＣＤ等からなる映像表示部、ヘッドホーン及びコントローラ部を中心として構成される。映像表示部はコントローラ部からの画像データを表示する。ヘッドホーンは、コントローラ部からの音声信号を出力する。コントローラ部は、画像データ及び音声データを保有し、その再生動作を行い、画像表示部およびヘッドホーンに映像・音声信号を出力する。また、携帯電話との通信による着信情報等により、着信情報を表示部に出力する。
【００１０】
コントローラ部は下記の要素を中心として構成される。
（１）ストレージ：再生データの記憶、保有を行う。
（２）画像音声再生部：ストレージ内のデータを取得し、画像音声データとして画像出力部および音声出力部に信号出力する。
（３）画像音声切替・合成部：携帯通信部が、携帯電話からの着信信号、又は大きくなった電波を受けたとき、その検出信号に応じて、画像と音声の切替または合成を行う。
（４）画像出力部、音声出力部：画像データを表示部、音声データをヘッドホーンにて再生可能な形式に変換して信号出力する。
（５）携帯通信部：携帯電話からの着信信号、又は大きくなった電波を受けたとき、それを検出する。
（６）着信画像・音声生成部：携帯通信部からの検出信号を受けたとき、所定の着信画像及び音声を出力する。
【００１１】
以下、このような映像出力装置の動作について説明する。携帯電話に着信があると、携帯電話は、着信信号を発生する。この着信信号は電波であってもよいし、携帯電話と映像表示装置が配線で結合されている場合は、この配線を通しての有線信号であってもよい。
【００１２】
この着信信号は、携帯通信部で検出され、着信画像・音声生成部と、画像音声切替・合成部に送られる。着信画像・音声生成部はこの信号を受けて、所定の着信画像及び音声を、画像音声切替・合成部に出力する。
【００１３】
画像音声切替・合成部は、それまでの画像出力、音声出力を一端中断し、画像出力部、音声出力部に出力する画像信号、音声信号を、着信画像・音声生成部から出力されたものに切り替えるか、あるいは、着信画像・音声生成部から出力された信号を、それまでの画像出力、音声出力に重畳して出力する。これにより、画像表示部、ヘッドホーンには、携帯電話に着信があったことが表示及び音声出力されるので、映像表示装置を装着中の使用者が、携帯電話への着信を知ることができる。なお、以上の説明においては、画像表示、音声出力の両方を変えていたが、画像表示のみを変えるようにしてもよい。
【００１４】
携帯通信部からの携帯着信信号の検出が無くなると、画像表示、音声出力は、以前の状態に戻る。ただし、画像表示、音声出力を以前の状態に戻す操作部を映像表示装置のコントローラ部に設け、このスイッチが操作されたときに、画像表示、音声出力を以前の状態に戻すようにしてもよい。
【００１５】
なお、以上の説明においては、携帯電話から着信信号が発信される場合について説明したが、携帯電話に着信があると、携帯電話から発信される電波が強くなる。携帯通信部は、この電波の強さを監視し、電波が強くなったときに、着信があったと判断して、着信画像・音声生成部と、画像音声切替・合成部に制御信号を送るようにしてもよい。
【図面の簡単な説明】
【００１６】
【図１】本発明の実施の形態の１例である映像表示装置の構成の概要を示す図である。
【図１】
2008129045.tif 000003